(57)【要約】【課題】同一用紙へ連続して複数回の画像形成を行う際の、定着による用紙伸縮に対する画像サイズ・位置の補正を、装置　制御の複雑化、画質劣化を伴うことなく行うことができる画像形成装置等を提供する。【解決手段】画像情報に基づいて画像処理を行う画像処理手段と、前記画像処理手段の画像処理結果に応じて像担持体上に画像形成を行う画像形成手段と、前記像担持体上に形成された画像を記録媒体に転写する転写手段と、画像が転写された記録媒体を定着する定着手段と、前記定着手段による定着後の前記記録媒体を前記転写手段へ搬送する手段と、転写前の記録媒体における搬送方向の長さ及び搬送方向に直角な幅を測定する記録媒体サイズ測定手段とを有する画像形成装置において、前記記録媒体サイズ測定手段によって測定された記録媒体サイズ情報に基づいて、前記画像処理前の前記画像情報に対して補正を行う補正手段を備えた。【選択図】　　　図２
2004129069.tif 000002
【特許請求の範囲】
【請求項１】
画像情報に基づいて画像処理を行う画像処理手段と、前記画像処理手段の画像処理結果に応じて像担持体上に画像形成を行う画像形成手段と、前記像担持体上に形成された画像を記録媒体に転写する転写手段と、画像が転写された記録媒体を定着する定着手段と、前記定着手段による定着後の前記記録媒体を前記転写手段へ搬送する手段と、定着前後の記録媒体における搬送方向の長さ及び搬送方向に直角な幅を測定する記録媒体サイズ測定手段とを有する画像形成装置において、
前記記録媒体サイズ測定手段によって測定された記録媒体サイズ情報に基づいて、前記画像処理前の前記画像情報に対して補正を行う補正手段を備えたことを特徴とする画像形成装置。
【請求項２】
画像を読み取る画像読み取り手段を備え、前記画像処理手段は、前記画像読み取り手段で読み取られた画像情報に基づいて画像処理を行う手段を有し、
前記補正手段は、前記画像読み取り手段で読み取る前記画像情報に対して、読み取り倍率及び読み取り位置の変更を行う手段を有することを特徴とする請求項１記載の画像形成装置。
【請求項３】
前記画像処理手段は、外部機器から送信される画像情報に基づいて画像処理を行う手段を有し、
前記補正手段は、前記外部機器から送信される画像情報の倍率及び位置の変更を行う手段を有することを特徴とする請求項１または２に記載の画像形成装置。
【請求項４】
画像情報に基づいて画像処理を行う画像処理手段と、前記画像処理手段の画像処理結果に応じて像担持体上に画像形成を行う画像形成手段と、前記像担持体上に形成された画像を記録媒体に転写する転写手段と、画像が転写された記録媒体を定着する定着手段と、前記定着手段による定着後の前記記録媒体を前記転写手段へ搬送する手段と、定着前後の記録媒体における搬送方向の長さ及び搬送方向に直角な幅を測定する記録媒体サイズ測定手段とを有する画像形成装置において、
任意の画像倍率及び画像位置を指定可能な画像倍率・位置指定手段と、
前記画像倍率・位置設定手段によって指定された画像倍率及び画像位置と、前記記録媒体サイズ測定手段で測定される記録媒体の長さ及び幅に基づいて、前記画像処理前の前記画像情報に対して補正を行う補正手段とを備えたことを特徴とする画像形成装置。
【請求項５】
前記記録媒体サイズ測定手段によって測定された記録媒体サイズ情報を表示する表示手段とを備えた請求項４記載の画像形成装置。
【請求項６】
画像を読み取る画像読み取り手段を備え、前記画像処理手段は、前記画像読み取り手段で読み取られた画像情報に基づいて画像処理を行う手段を有し、
前記補正手段は、前記画像倍率・位置設定手段によって指定された画像倍率及び画像位置に基づいて、前記画像読み取り手段で読み取る前記画像情報に対して、読み取り倍率及び読み取り位置の変更を行う手段を有することを特徴とする請求項４または５に記載の画像形成装置。
【請求項７】
前記画像処理手段は、外部機器から送信される画像情報に基づいて画像処理を行う手段を有し、
前記補正手段は、前記画像倍率・位置設定手段によって指定された画像倍率及び画像位置に基づいて、前記外部機器から送信される画像情報の倍率及び位置の変更を行う手段を有することを特徴とする請求項４乃至６に記載の画像形成装置。
【発明の詳細な説明】
【０００１】
【発明の属する技術分野】
本発明は、複写機・プリンタ等の電子写真方式の画像形成装置等に関するものである。
【０００２】
【従来の技術】
電子写真方式の画像形成装置では、感光体ドラム等の像担持体上に形成されたトナー像を用紙に転写した後に、熱定着手段または圧力定着手段などの定着手段によってトナー像を用紙に定着させて画像を得ている。
【０００３】
従来、このような画像形成装置においては、定着手段によって画像が用紙に定着される際に、熱や圧力の影響で用紙が伸縮するため、多重転写画像または両面画像を得るために同一用紙に連続して複数回の画像形成を行うと、用紙の伸縮に伴ってサイズが変化した前画像と次に転写される次画像とで画像倍率が異なってしまい、相対的な画像ズレが発生して出力画像の品位が低下してしまう。
【０００４】
このような問題を解決するために、定着による用紙サイズの変化を測定する手段を設け、多重・両面等の複数回の連続した画像形成時には、この測定結果に基づいて、感光体速度・用紙搬送速度・光学制御手段を制御して次画像の画像サイズ・位置を自動補正する技術が開示されている（例えば、特許文献１参照）。
【０００５】
【特許文献１】
特許第３０８９０３９号公報
【０００６】
【発明が解決しようとする課題】
しかしながら、従来技術においては、装置・制御系の複雑化が避けられず、さらに、画像サイズ・位置の補正を行う際に画像形成条件が変更される場合には画質の劣化も起きてしまう。
【０００７】
また、デジタル信号に変換された画像情報に基づいて画像形成を行うデジタル式画像形成装置においては、用紙サイズの変化に対応した画像サイズ・位置の補正を画像処理によって行うことも可能であるが、デジタル化された画像データを処理するにおいては、画像サイズなどの変更に伴う量子化誤差の蓄積等に起因して画質劣化等が発生してしまう場合がある。
【０００８】
本発明は、これらの課題を解決するためになされたもので、その目的とするところは、同一用紙へ連続して複数回の画像形成を行う際の、定着による用紙伸縮に対する画像サイズ・位置の補正を、装置　制御の複雑化、画質劣化を伴うことなく行うことができる画像形成装置等を提供することである。
【０００９】
【課題を解決するための手段】
上記目的を達成するために、本発明の画像形成装置では、画像情報に基づいて画像処理を行う画像処理手段と、前記画像処理手段の画像処理結果に応じて像担持体上に画像形成を行う画像形成手段と、前記像担持体上に形成された画像を記録媒体に転写する転写手段と、画像が転写された記録媒体を定着する定着手段と、前記定着手段による定着後の前記記録媒体を前記転写手段へ搬送する手段と、定着前後の記録媒体における搬送方向の長さ及び搬送方向に直角な幅を測定する記録媒体サイズ測定手段とを有する画像形成装置において、前記記録媒体サイズ測定手段によって測定された記録媒体サイズ情報に基づいて、前記画像処理前の前記画像情報に対して補正を行う補正手段を備えたことを特徴とする。
【００１０】
本発明の画像形成装置では、画像情報に基づいて画像処理を行う画像処理手段と、前記画像処理手段の画像処理結果に応じて像担持体上に画像形成を行う画像形成手段と、前記像担持体上に形成された画像を記録媒体に転写する転写手段と、画像が転写された記録媒体を定着する定着手段と、前記定着手段による定着後の前記記録媒体を前記転写手段へ搬送する手段と、定着前後の記録媒体における搬送方向の長さ及び搬送方向に直角な幅を測定する記録媒体サイズ手段とを有する画像形成装置において、任意の画像倍率及び画像位置を指定可能な画像倍率・位置指定手段と、前記画像倍率・位置設定手段によって指定された画像倍率及び画像位置と、前記記録媒体サイズ測定手段で測定される記録媒体の長さ及び幅に基づいて、前記画像処理前の前記画像情報に対して補正を行う補正手段とを備えたことを特徴とする。
【００１１】
【発明の実施の形態】
以下、本発明の実施の形態を図面に基づいて説明する。
【００１２】
［第一実施形態］
図１は、本発明の第一実施形態に係る画像形成装置の概略構成を示すブロック図である。
【００１３】
本実施形態の画像形成装置は、プリンタ部１００と画像読み取り部２００を備え、画像読み取り部２００で読み取った原稿の画像情報に基づいて画像形成を行う複写機能と、ホストコンピュータ等の外部機器から送信される画像情報に基づいて画像形成を行うプリンタ機能とを有するデジタル複写機である。
【００１４】
さらに、本実施形態のデジタル複写機は、ホストコンピュータ４００から送信される画像情報をプリンタ部１００での信号処理に適したデータフォーマット、解像度などに変換してプリンタ部１００へ送信するコントローラ３００を備え、プリンタ部１００とコントローラ３００、及びコントローラ３００とホストコンピュータ４００はそれぞれ通信ケーブルで接続されている。
【００１５】
画像読み取り部２００は、複数のミラー及びレンズで構成された読み取り光学部（図示せず）で原稿を走査してＣＣＤで画像を読み取る原稿走査部２０１と、ＣＣＤから出力されるアナログ信号をデジタル信号に変換するＡ／Ｄ変換部２０２とを備えている。さらに、原稿走査部２０１は、読み取り光学部のミラーとレンズの相対的な配置、及び読み取り光学部の走査速度を制御する読み取り光学系制御手段を備えている。
【００１６】
プリンタ部１００は画像処理部１０１を備え、画像処理部１０１は、画像読み取り部２００のＡ／Ｄ変換部２０２から送信される原稿の画像情報、またはコントローラ３００を経由して送信されるホストコンピュータ４００からの画像情報に基づいて画像形成信号を生成する。
【００１７】
さらに、プリンタ部１００は、画像処理部１０１において生成された画像形成信号に応じて画像を形成する画像形成部１０２と、用紙カセットＣ１、Ｃ２及び用紙カセットＣ１、Ｃ２から用紙Ｐを給紙する給紙部１０３と、用紙Ｐを転写ポイントＡへ搬送する転写搬送部１０４と、定着装置１０５と、転写後の用紙Ｐを定着装置１０５に搬送する定着搬送部１０６と、機外排出と両面・多重時の用紙進路切換えを行う排紙処理部１０７と、両面または多重の用紙進路切換え及び用紙Ｐの表裏反転を行う両面　多重処理部１０８と、両面または多重の画像形成時に再度転写搬送部１０４へ用紙Ｐを搬送する両面・多重搬送部１０９とを備えている。
【００１８】
画像形成部１０２では、画像処理部１０１で生成される画像形成信号に対応してレーザ露光装置１１０から照射されるレーザ光Ｌを感光ドラム１上に結像させて得られる静電潜像を、現像器２によって現像することによってトナー像を形成する。また、感光ドラム１の周囲には、一次帯電器３と、クリーニング装置４とが配置されている。さらに、転写ポイントＡにおいて転写ローラ５が感光ドラム１に対向して配置され、感光ドラム１上のトナー像にタイミングを合わせて転写搬送部１０４のレジストローラ対１１から搬送される用紙Ｐ上へトナー像が転写される。トナー像が転写された用紙Ｐは定着搬送部１０６によって定着装置１０５へ搬送される。
【００１９】
定着装置１０５を通過して画像定着が行われた用紙Ｐは排紙処理部１０７を経て、動作シーケンスに応じて機外へ排出されるか、あるいは両面・多重処理部１０８へ送られる。両面または多重時には、用紙Ｐは、排紙処理部１０７の第１の進路切換え装置１２によって進路変更され、両面・多重処理部１０８へ搬送される。両面・多重処理部１０８へ搬送された用紙Ｐは、さらに第２の進路切換え装置１３によって、多重時には両面・多重搬送部１０９へ、また、両面時には反転ローラ１４へ送られ、搬送方向の先・後端が反転するする方向に表裏反転された後に両面　多重搬送部１０９へ搬送される。そして、用紙Ｐは両面・多重搬送部１０９から再度転写搬送部１０４へ送られ次の画像転写が行われる。
【００２０】
転写搬送部１０４は、用紙サイズ測定部１１１を備え、用紙サイズ測定部１１１は、用紙長さ検知手段（図示せず）と用紙幅検知手段（図示せず）とを有し、転写前の用紙Ｐの搬送方向と平行な長さ、及び搬送方向に直角な幅を用紙Ｐの通過毎に測定する。又、用紙サイズ測定部１１１は用紙Ｐ上の画像サイズの長さと幅も測定できる。
【００２１】
図２は、本実施形態に係る画像情報及び用紙サイズ情報の信号経路を示すブロック図である。
【００２２】
用紙サイズ測定部１１１で測定された用紙サイズの長さ及び幅の用紙サイズ情報は、原稿読み取り部２００を用いた複写機能を使用する複写モードの際には原稿走査部２０１へ送信される。そして、原稿走査部２０１においては、両面または多重などのように同一用紙に複数回の画像形成を連続して行う場合には、画像形成毎の用紙サイズの変化に応じて、読み取り光学系制御手段がミラー・レンズの相対的な配置と原稿走査速度を制御して、画像倍率・位置などの画像情報がアナログ信号の段階で補正され、Ａ／Ｄ変換部２０２でデジタル信号化された画像情報が画像処理部１０１へ送信される。
【００２３】
一方、プリンタ機能を使用するプリンタモードの際には、用紙サイズ情報はコントローラ３００へ送信され、さらにコントローラ３００は受信した用紙サイズ情報をホストコンピュータ４００へ送信する。ホストコンピュータ４００では、用紙サイズの変化に応じてコントローラ３００へ送信する前の画像情報に対して画像倍率・位置等の補正を行う。
【００２４】
ここで、原稿走査部２０１及びホストコンピュータ４００で行われる画像倍率・位置の補正について、同一用紙の両面に連続して各１回の画像形成を行う両面画像形成の場合を例に述べる。
【００２５】
図３は、１面目の画像形成時に画像Ｇ１が転写される用紙Ｐの様子を示す図である。
【００２６】
なお、本実施形態において、用紙Ｐは、搬送方向と直角な幅方向中央位置Ｃを基準として、このＣの位置が一定となるような中央位置基準で搬送される。また、画像は用紙Ｐの先端エッジＴ及び搬送方向左端エッジＳ１を基準に形成される。
【００２７】
図３においては、用紙サイズ測定部１１１において測定された転写前の用紙Ｐの長さをＬ１、幅をＷ１とし、用紙Ｐの搬送方向先端エッジＴから先端余白までの長さＴ１、及び搬送方向左端エッジＳ１から左端余白までの幅Ｆ１で、長さＡ１、幅Ｂ１の画像Ｇ１が転写される。そして、用紙Ｐは定着装置１０５で定着され、両面・多重処理部１０８で用紙搬送方向が逆転するように表裏反転される。
【００２８】
図４に、表裏反転された後、両面・多重搬送部１０９によって再度転写搬送部１０４へ搬送された２面目転写前の用紙Ｐを示す。ここでの用紙Ｐの用紙サイズ測定部１１１で測定された長さをＬ２、幅をＷ２とする。すなわち、用紙Ｐのサイズは１面目の定着によって、長さ方向でＬ２／Ｌ１、幅方向でＷ２／Ｗ１の比率で変化したことになる。
【００２９】
また、画像サイズは用紙Ｐのサイズ変化に比例して変化する。そのため、２面目転写前の１面目画像Ｇ１の長さＡ２及び幅Ｂ２は以下のようになる。
【００３０】
Ａ２＝Ｌ２／Ｌ１×Ａ１　　　　　…（１）
Ｂ２＝Ｗ２／Ｗ１×Ｂ１　　　　　…（２）
一方、用紙Ｐは両面・多重処理部１０８における表裏反転の結果、１面目の先端エッジＴと後端エッジＥの位置が２面目では逆転する。従って、１面目画像Ｇ１の後端余白が２面目の先端余白部分となる。さらに、余白部分も用紙Ｐのサイズ変化に伴って範囲が変化する。２面目転写前の先端余白長さＴ２は、１面目定着前の後端余白長さをＥ１とすると次式のようになる。
【００３１】
Ｔ２＝Ｌ２／Ｌ１×Ｅ１　　　　　…（３）
また、１面目定着前の後端余白長さをＥ１は、
Ｅ１＝Ｌ１−Ｔ１−Ａ１　　　　　…（４）
であるから、２面目の先端余白Ｔ２は、
Ｔ２＝Ｌ２／Ｌ１×（Ｌ１−Ｔ１−Ａ１）　…（５）
となる。
【００３２】
さらに、２面目転写前の用紙Ｐ左端Ｓ２は、用紙Ｐのサイズ変化に伴って１面目定着前の用紙Ｐ左端Ｓ１の位置から距離Ｄ移動する。そして、移動距離Ｄは次式のようになる。
【００３３】
Ｄ＝（Ｗ１−Ｗ２）／２　　　　　…（６）
また、２面目転写前の用紙Ｐの左端余白幅ｆ２は、
ｆ２＝Ｗ２／Ｗ１×Ｆ１　　　　…（７）
となり、１面目定着前の用紙Ｐ左端エッジＳ１から２面目の画像Ｇ１左端までの距離Ｆ２は、
Ｆ２＝Ｄ＋ｆ２＝（Ｗ１＋Ｗ２）／２＋Ｗ２／Ｗ１×Ｆ１　　…（８）
となる。
【００３４】
従って、２面目画像は、画像倍率を（１）、（２）式に従って補正し、画像位置を（５）、（８）式に従って補正すれば、裏面に形成されている１面目画像Ｇ１に対して画像の倍率及び位置を相対的に一致させることができる。
【００３５】
上述した両面画像形成の他、多重画像形成や同一用紙に３回以上の連続した画像形成を行う場合にも、同様に、測定した用紙サイズに応じて基準画像に対する画像倍率及び画像位置の変更を行えば、各画像の相対的な位置を一致させることができる。
【００３６】
本実施形態では、用紙Ｐは中央位置基準で搬送されるとしたが、用紙の端部位置（例えばＳ１）を基準として搬送する端部位置基準搬送を行うような場合には、（８）式に代えて端部位置基準での位置補正を行えばよい。
【００３７】
また、本実施形態では、用紙サイズ測定部１１１で測定した用紙サイズ情報は、コントローラ３００を中継してホストコンピュータ４００へ送信するが、図５に示すように、ホストコンピュータ４００へ直接送信してもよい。
【００３８】
さらに、画像情報及び用紙サイズ情報の各部との通信は、本実施形態のような通信ケーブルを用いる方法の他、無線等の他の通信手段を用いて行ってもよい。
【００３９】
上述したように、本実施形態の画像形成装置では、用紙サイズ測定部１１１で測定した画像形成毎の用紙サイズ情報を原稿走査部２０１またはホストコンピュータ４００へ送信することで、複雑な画像処理が行われる前の画像情報に対して画像倍率・位置を用紙サイズの変化に応じて自動的に変更することが可能となる。
【００４０】
これにより、装置・制御系を複雑にすることなく、また、画像劣化を伴わずに、相対的な画像ズレを防止して高品位な画像を提供することができる。
【００４１】
［第二実施形態］
同一用紙に複数回の画像形成を連続して行う場合に、各画像の相対的なサイズ・位置を一致させるための画像倍率・位置の補正を、第一実施形態においては自動で行うものであったが、第二実施形態においては画像サイズ情報に基づいた手動入力で行うものである。
【００４２】
図６は、本発明の第二実施形態に係る画像形成装置の概略構成を示すブロック図である。
【００４３】
本実施形態の画像形成装置は、第一実施形態の画像形成装置と同様に、プリンタ部１００と画像読み取り部２００を備え、複写機能とプリンタ機能とを有するデジタル複写機であり、原稿画像読み取り部２００、プリンタ部１００の画像形成プロセス及び用紙搬送形態も、第一実施形態と同様である。さらに、第一実施形態と同様にコントローラ３００を備え、プリンタ部１００とコントローラ３００、及びコントローラ３００とホストコンピュータ４００はそれぞれ通信ケーブルで接続されている。
【００４４】
本実施形態のデジタル複写機は、表示部３１０と画像倍率入力部３２０を備えている点が上記第一実施形態と異なる。用紙サイズ測定部１１１で測定された用紙サイズの情報は表示部３１０へ送信され、表示部３１０は用紙サイズ情報を表示する。画像倍率入力部３２０は、任意の画像倍率及び画像位置を入力可能で、同一用紙に複数回の連続した画像形成を行う場合には画像形成毎に独立して画像倍率　位置を設定することができる。
【００４５】
そして、画像倍率入力部３２０で入力された画像倍率・位置情報は、原稿走査部２０１へ送信され、原稿走査部２０１では、画像倍率・位置情報に応じて画像倍率及び位置を変更して原稿画像の読み取りを行う。
【００４６】
図７は、本実施形態の画像情報及び用紙サイズ情報の信号経路を示すブロック図である。
【００４７】
本実施形態において、複写モード時に同一用紙に複数回の連続した画像形成を行う場合は、テストプリントまたは画像形成中に表示部３１０に表示される用紙サイズ情報に基づいて、画像倍率・位置を画像倍率入力部３２０に入力し、原稿走査部２０１が指定された画像倍率・位置で原稿画像の読み取りを行うことで複数画像のサイズ及び位置を相対的に一致させることができる。
【００４８】
一方、プリントモード時には、表示部３１０に表示された用紙サイズ情報に基づいて、ホストコンピュータ４００を操作することによってコントローラ３００へ送信される前の画像情報に対して画像倍率及び位置の変更が行われる。
【００４９】
なお、表示部３１０及び画像倍率入力部３２０は、各専用のユニット、または一体的なユニットとして設置、あるいは画像形成装置の状態表示や操作入力を行う操作パネル部に備えることもでき、画像形成装置の構成及び使用形態に応じて設置形態を選択することができる。
【００５０】
本実施形態では、画像倍率入力部３２０に入力された画像倍率・位置情報を原稿走査部２０１に送信するようにしたが、さらに必要に応じて任意の内部装置または外部装置へ送信することも可能である。そして、特に、ホストコンピュータ４００が離れた場所に設置されている場合などは、図８に示すように、画像倍率入力部３２０に入力された画像倍率・位置情報を、コントローラ３００を介してホストコンピュータ４００へ送信するか、または画像倍率入力部３２０からホストコンピュータ４００へ直接送信すればよい。
【００５１】
上述したように、本実施形態では、用紙サイズ測定部３１０で測定した画像サイズ情報を表示部３２０に表示し、表示された画像サイズ情報に基づいて、複写モード時には画像倍率入力部３２０に入力される画像倍率・位置に従って原稿走査部２０１において、またプリントモード時にはホストコンピュータ４００において、画像処理前の画像情報に対する画像倍率・位置の補正を行うことができる。また、画像倍率入力部３２０からは任意の画像倍率及び画像位置を指示できるため、画像サイズ情報に基づいた補正のほか、必要に応じた倍率及び位置の変更が可能である。
【００５２】
上述した各実施形態において、同一用紙に複数回の画像形成を連続して行う場合に、各画像の相対的なサイズ・位置を一致させるための画像倍率・位置の補正を、第一実施形態においては自動で、また、第二実施形態においては画像サイズ情報に基づいた手動入力で行うように述べてきたが、図９に示すように、用紙サイズ測定部１１１で測定した用紙サイズ情報を表示部３１０に表示するとともに、原稿走査部２０１及びホストコンピュータ４００へ送信し、一方、画像倍率入力部３２０に入力された画像倍率・位置の情報を原稿走査部２０１及びホストコンピュータ４００へ送信できるようにすれば、必要に応じて自動または手動による画像倍率・位置の補正を使い分けることができる。
【００５３】
また、図示はしていないが他の実施形態として、第一実施形態の自動で計算した裏面画像の補正倍率・位置等を必要に応じて表示したり、その表示倍率・位置をユーザの指示で修正したりしてもよい。
【００５４】
なお、本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００５５】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００５６】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【００５７】
【発明の効果】
以上説明したように、本発明の画像形成装置によれば、用紙等の同一の記録媒体に複数回の画像形成を連続して行うに際し、装置・制御系を複雑にすることなく、また、画像劣化を伴わずに、相対的な画像ズレを防止して高品位な画像を提供することが可能になる。
【図面の簡単な説明】
【図１】本発明の第一実施形態に係る画像形成装置の概略構成を示すブロック図である。
【図２】第一実施形態に係る画像情報及び用紙サイズ情報の信号経路を示すブロック図である。
【図３】１面目定着前の用紙及び転写された画像の説明図である。
【図４】２面目転写前の用紙及び１面目画像の説明図である。
【図５】画像情報信号及び用紙サイズ情報信号の他の信号経路を示すブロック図である。
【図６】本発明の第二実施形態に係る画像形成装置の概略構成を示すブロック図である。
【図７】第二実施形態に係る画像情報信号及び用紙サイズ情報信号の信号経路を示すブロック図である。
【図８】画像情報信号及び用紙サイズ情報信号の他の信号経路を示すブロック図である。
【図９】画像情報信号及び用紙サイズ情報信号の他の信号経路を示すブロック図である。
【符号の説明】
１００　プリンタ部
１０１　画像処理部
１１１　用紙サイズ測定部
２００　原稿読み取り部
２０１　原稿走査部
２０２　Ａ／Ｄ変換部
３００　コントローラ
３１０　表示部
３２０　画像倍率入力部
４００　ホストコンピュータ
【図１】
2004129069.tif 000003
【図２】
2004129069.tif 000004
【図３】
2004129069.tif 000005
【図４】
2004129069.tif 000006
【図５】
2004129069.tif 000007
【図６】
2004129069.tif 000008
【図７】
2004129069.tif 000009
【図８】
2004129069.tif 000010
【図９】
2004129069.tif 000011